(57)【要約】【課題】  カメラの操作を制限するアクセサリーを取り付けた場合に、アクセサリーを取り外して操作せずに、消費電力制御を行うことができるカメラ及びカメラの消費電力制御方法を提供する。【解決手段】  水中プロテクターを装着した状態か否かを検出し、水中プロテクターを検出している場合（Ｓ１１６，Ｓ１２０でＹＥＳ）は、動作状態及び待機状態より低電力で限定した動作を行うスリープ状態へ遷移する時間を水中プロテクターを装着していない場合の時間Ｔ１より短い時間Ｔ３に設定するととともにスリープ状態より低電力で限定した動作を行うパワーオフ状態へ遷移する時間を水中プロテクターを装着していない場合の時間Ｔ２より長い時間Ｔ４に設定する。【選択図】図１１
2005338153.tif 000002
【特許請求の範囲】
【請求項１】
通常の動作を行う第１のモードと、
上記第１のモードより低電力で、上記第１のモードより限定した動作を行う第２のモードと、
上記第２のモードより低電力で、上記第２のモードより限定した動作を行う第３のモードと、
上記第１のモードから上記第２のモードへ遷移する第１の時間を設定する第１の時間設定手段と、
上記第２のモードから上記第３のモードへ遷移する第２の時間を設定する第２の時間設定手段と、
状態を検出する状態検出手段とを有するカメラにおいて、
前記状態検出手段の検出結果に応じて、上記第１の時間設定手段は上記第１の時間を設定し、上記第２の時間設定手段は上記第２の時間を設定することを特徴とするカメラ。
【請求項２】
上記状態検出手段は、操作を制限するアクセサリーを装着したか否かを検出することを特徴とする請求項１に記載のカメラ。
【請求項３】
上記第１の時間設定手段は、上記状態検出手段がアクセサリーの装着を検出していないならば第１の時間として時間Ｔ１を設定し、上記状態検出手段がアクセサリーの装着を検出しているならば第１の時間として上記時間Ｔ１より短い時間である時間Ｔ３を設定することを特徴とする請求項２に記載のカメラ。
【請求項４】
上記第２の時間設定手段は、上記状態検出手段がアクセサリーの装着を検出していないならば第２の時間として時間Ｔ２を設定し、上記状態検出手段がアクセサリーの装着を検出しているならば第２の時間として上記時間Ｔ２より長い時間である時間Ｔ４を設定することを特徴とする請求項２又は３に記載のカメラ。
【請求項５】
上記第３のモードの動作は、上記アクセサリーを装着したときに制限される動作であることを特徴とする請求項２から４のいずれか１項に記載のカメラ。
【請求項６】
上記第２の時間設定手段は、上記第２のモードから上記第３のモードへ実質的に遷移しない長い時間を上記時間Ｔ４として設定することを特徴とする請求項４又は５に記載のカメラ。
【請求項７】
通常の動作を行う第１のモードと、上記第１のモードより低電力で動作を行う第２のモードと、上記第２のモードより低電力で動作を行う第３のモードとからいずれかのモードを設定する動作モード設定手段と、
操作を制限するアクセサリーを装着したか否かを検出する状態検出手段と、
上記状態検出手段の検出結果に応じて、上記各モードの遷移時間に関する設定の切換え制御を行う制御手段とを有することを特徴とするカメラ。
【請求項８】
上記制御手段は、上記状態検出手段がアクセサリーの装着を検出していないならば時間Ｔ１経過後に、上記状態検出手段がアクセサリーの装着を検出したならば上記時間Ｔ１より短い時間である時間Ｔ３経過後に上記第１のモードから上記第２のモードへ切換えることを特徴とする請求項７に記載のカメラ。
【請求項９】
上記制御手段は、上記状態検出手段がアクセサリーの装着を検出していないならば時間Ｔ２経過後に上記第２のモードから上記第３のモードへ切換え、上記状態検出手段がアクセサリーの装着を検出したならば上記第２のモードを継続することを特徴とする請求項７又は８に記載のカメラ。
【請求項１０】
通常の動作を行う第１のモードと、動作待機状態となる第２のモードと、上記第２のモードと異なる状態で動作待機状態となる第３のモードとからいずれかのモードを設定する動作モード設定手段と、
操作を制限するアクセサリーを装着したか否かを検出する状態検出手段と、
上記状態検出手段の検出結果に応じて、上記各モードの遷移時間に関する設定の切換え制御を行う制御手段とを有することを特徴とするカメラ。
【請求項１１】
上記第２のモードにおける動作待機状態は上記第１のモードより低電力で待機し、上記第３のモードにおける動作待機状態は上記第２のモードより低電力で待機することを特徴とする請求項１０に記載のカメラ。
【請求項１２】
第１の操作部と、
第２の操作部とを有し、
上記第２のモードにおける動作待機状態は上記第１の操作部と上記第２の操作部の操作入力を待機し、上記第３のモードにおける動作待機状態は上記第１の操作部の操作入力を待機することを特徴とする請求項１０又は１１に記載のカメラ。
【請求項１３】
上記第１の操作部は上記動作モード設定手段のモードの切換えに関連する操作を行い、上記第２の操作部は上記第１の操作部で行う操作以外の操作に関連する操作を行うものであることを特徴とする請求項１２に記載のカメラ。
【請求項１４】
上記アクセサリーは、水中プロテクター又は消音ボックスであることを特徴とする請求項２から１３のいずれか１項に記載のカメラ。
【請求項１５】
状態を検出し、その検出結果に応じて、通常の動作を行う第１のモードから上記第１のモードより低電力で上記第１のモードより限定した動作を行う第２のモードへ遷移する第１の時間を設定するととともに、上記第２のモードから上記第２のモードより低電力で上記第２のモードより限定した動作を行う第３のモードへ遷移する第２の時間を設定することを特徴とするカメラの消費電力制御方法。
【請求項１６】
操作を制限するアクセサリーを装着したか否かを検出し、その検出結果に応じて、通常の動作を行う第１のモードと、上記第１のモードより低電力で動作を行う第２のモードと、上記第２のモードより低電力で動作を行う第３のモードの遷移時間に関する設定の切換え制御を行うことを特徴とするカメラの消費電力制御方法。
【請求項１７】
操作を制限するアクセサリーを装着したか否かを検出し、その検出結果に応じて、通常の動作を行う第１のモードと、動作待機状態となる第２のモードと、上記第２のモードと異なる状態で動作待機状態となる第３のモードの遷移時間に関する設定の切換え制御を行うことを特徴とするカメラの消費電力制御方法。
【発明の詳細な説明】
【技術分野】
【０００１】
本発明は、操作を制限するアクセサリーを装着可能なカメラ及びカメラの消費電力制御方法に関する。
【背景技術】
【０００２】
従来より水中の写真を撮る場合、一般に水中プロテクターと呼ばれる箱の中にカメラを入れ、箱ごと水の中に入れて撮影する方法が知られている。水中プロテクターに装備されている操作部材がカメラの操作部材を操作できるようになっており、操作者は水中でカメラを操作する際、水中プロテクターの操作部材を操作することによりカメラを操作する。また、演劇や音楽などの騒音が殊更気になる場所で写真を撮る場合、カメラはシャッター音などの騒音を発生してしまうので、一般に消音ボックスと呼ばれる箱の中に入れて撮影する方法が知られている。この場合も水中プロテクターの場合と同様に、消音ボックスに装備されている操作部材がカメラの操作部材を操作できるようになっており、操作者は消音ボックスの操作部材を操作することによりカメラを操作する。
【０００３】
ところで、近年のカメラは、撮影時はもとより撮影待機中であっても多くの電力を使うので、消費電力制御を行うことが課題となっている。このような課題を解決するものとして、ビデオカメラに、撮像信号が不要のアクセサリーを取り付けた時は撮像手段の電源を切り、撮像信号が必要なアクセサリーを取り付けた時は撮像手段の電源を入れる技術（例えば、特許文献１参照）、カメラに取り付けた携帯用のストラップを引くと、カメラは「今カメラは待機中である」と認識して、低電力モードとなる技術（例えば、特許文献２参照）などが知られている。
【特許文献１】特許第３４２０３２４号公報
【特許文献２】特開２０００−３９６４５号公報
【発明の開示】
【発明が解決しようとする課題】
【０００４】
上述したように、操作者は水中プロテクターの操作部材を操作することにより水中においてもカメラを操作できるが、水中プロテクターの強度や防水性能、水中での操作のしやすさを考慮すると、全てのカメラ操作を行えるようにはなっていない。例えば、スライドスイッチは、防水性能を上げる為には高度な工作技術を要するので、対応していない場合が多い。また、演劇や音楽などの騒音が殊更気になる場所で写真を撮る場合も、水中プロテクターを取り付けた場合と同様に、操作者は消音ボックスの操作部材を操作することによりカメラを操作できるが、消音性能や消音ボックスの操作部材そのものの消音性を考慮すると、全てのカメラの操作を行えるようにはなっていない。
【０００５】
このように水中プロテクターや消音ボックスをカメラに取り付けた場合にはカメラの操作が制限されてしまうが、例えば、カメラに水中プロテクターを取り付けて水中で撮影している場合は、カメラの電池がなくなってしまうと、水中では電池を交換できないのでこれ以上撮影することができなくなってしまう。このような事態を回避するには、水中プロテクターや消音ボックスを取り付けた状態においても、カメラの消費電力制御を行う必要がある。
【０００６】
しかしながら、特許文献１に記載されたものでは、撮像信号が不要のアクセサリーを取り付けた時は撮像手段の電源を切り、撮像信号が必要なアクセサリーと取り付けた時は撮像手段の電源を入れることにより消費電力制御を実現するが、水中プロテクターや消音ボックスのように撮像信号を必要とするアクセサリーを取り付けた時には消費電力制御を行うことができない。また、特許文献２に記載されたものでは、カメラを水中プロテクターや消音ボックスに入れてしまうと携帯用のストラップは触れなくなるので、カメラに取り付けた携帯用のストラップを引いて低電力モードにすることができない。
【０００７】
本発明は上記事情に鑑みてなされたものであって、その目的は、カメラの操作を制限するアクセサリーを取り付けた場合に、アクセサリーを取り外して操作せずに、消費電力制御を行うことができるカメラ及びカメラの消費電力制御方法を提供することにある。
【課題を解決するための手段】
【０００８】
請求項１に記載の発明は、通常の動作を行う第１のモードと、上記第１のモードより低電力で、上記第１のモードより限定した動作を行う第２のモードと、上記第２のモードより低電力で、上記第２のモードより限定した動作を行う第３のモードと、上記第１のモードから上記第２のモードへ遷移する第１の時間を設定する第１の時間設定手段と、上記第２のモードから上記第３のモードへ遷移する第２の時間を設定する第２の時間設定手段と、状態を検出する状態検出手段とを有するカメラにおいて、前記状態検出手段の検出結果に応じて、上記第１の時間設定手段は上記第１の時間を設定し、上記第２の時間設定手段は上記第２の時間を設定することを特徴とする。
【０００９】
請求項２に記載の発明は、請求項１に記載の発明において、上記状態検出手段は、操作を制限するアクセサリーを装着したか否かを検出することを特徴とする。
【００１０】
請求項３に記載の発明は、請求項２に記載の発明において、上記第１の時間設定手段は、上記状態検出手段がアクセサリーの装着を検出していないならば第１の時間として時間Ｔ１を設定し、上記状態検出手段がアクセサリーの装着を検出しているならば第１の時間として上記時間Ｔ１より短い時間である時間Ｔ３を設定することを特徴とする。
【００１１】
請求項４に記載の発明は、請求項２又は３に記載の発明において、上記第２の時間設定手段は、上記状態検出手段がアクセサリーの装着を検出していないならば第２の時間として時間Ｔ２を設定し、上記状態検出手段がアクセサリーの装着を検出しているならば第２の時間として上記時間Ｔ２より長い時間である時間Ｔ４を設定することを特徴とする。
【００１２】
請求項５に記載の発明は、請求項２から４のいずれか１項に記載の発明において、上記第３のモードの動作は、上記アクセサリーを装着したときに制限される動作であることを特徴とする。
【００１３】
請求項６に記載の発明は、請求項４又は５に記載の発明において、上記第２の時間設定手段は、上記第２のモードから上記第３のモードへ実質的に遷移しない長い時間を上記時間Ｔ４として設定することを特徴とする。
【００１４】
請求項７に記載の発明は、通常の動作を行う第１のモードと、上記第１のモードより低電力で動作を行う第２のモードと、上記第２のモードより低電力で動作を行う第３のモードとからいずれかのモードを設定する動作モード設定手段と、操作を制限するアクセサリーを装着したか否かを検出する状態検出手段と、上記状態検出手段の検出結果に応じて、上記各モードの遷移時間に関する設定の切換え制御を行う制御手段とを有することを特徴とする。
【００１５】
請求項８に記載の発明は、請求項７に記載の発明において、上記制御手段は、上記状態検出手段がアクセサリーの装着を検出していないならば時間Ｔ１経過後に、上記状態検出手段がアクセサリーの装着を検出したならば上記時間Ｔ１より短い時間である時間Ｔ３経過後に上記第１のモードから上記第２のモードへ切換えることを特徴とする。
【００１６】
請求項９に記載の発明は、請求項７又は８に記載の発明において、上記制御手段は、上記状態検出手段がアクセサリーの装着を検出していないならば時間Ｔ２経過後に上記第２のモードから上記第３のモードへ切換え、上記状態検出手段がアクセサリーの装着を検出したならば上記第２のモードを継続することを特徴とする。
【００１７】
請求項１０に記載の発明は、通常の動作を行う第１のモードと、動作待機状態となる第２のモードと、上記第２のモードと異なる状態で動作待機状態となる第３のモードとからいずれかのモードを設定する動作モード設定手段と、操作を制限するアクセサリーを装着したか否かを検出する状態検出手段と、上記検出手段の検出結果に応じて、上記各モードの遷移時間に関する設定の切換え制御を行う制御手段とを有することを特徴とする。
【００１８】
請求項１１に記載の発明は、請求項１０に記載の発明において、上記第２のモードにおける動作待機状態は上記第１のモードより低電力で待機し、上記第３のモードにおける動作待機状態は上記第２のモードより低電力で待機することを特徴とする。
【００１９】
請求項１２に記載の発明は、請求項１０又は１１に記載のカメラにおいて、第１の操作部と、第２の操作部とを有し、上記第２のモードにおける動作待機状態は上記第１の操作部と上記第２の操作部の操作入力を待機し、上記第３のモードにおける動作待機状態は上記第１の操作部の操作入力を待機することを特徴とする。
【００２０】
請求項１３に記載の発明は、請求項１２に記載の発明において、上記第１の操作部は上記動作モード設定手段のモードの切換えに関連する操作を行い、上記第２の操作部は上記第１の操作部で行う操作以外の操作に関連する操作を行うものであることを特徴とする。
【００２１】
請求項１４に記載の発明は、請求項２から１３のいずれか１項に記載の発明において、上記アクセサリーは、水中プロテクター又は消音ボックスであることを特徴とする。
【００２２】
請求項１５に記載の発明は、状態を検出し、その検出結果に応じて、通常の動作を行う第１のモードから上記第１のモードより低電力で上記第１のモードより限定した動作を行う第２のモードへ遷移する第１の時間を設定するととともに上記第２のモードから上記第２のモードより低電力で上記第２のモードより限定した動作を行う第３のモードへ遷移する第２の時間を設定することを特徴とする。
【００２３】
請求項１６に記載の発明は、操作を制限するアクセサリーを装着したか否かを検出し、その検出結果に応じて、通常の動作を行う第１のモードと、上記第１のモードより低電力で動作を行う第２のモードと、上記第２のモードより低電力で動作を行う第３のモードの遷移時間に関する設定の切換え制御を行うことを特徴とする。
【００２４】
請求項１７に記載の発明は、操作を制限するアクセサリーを装着したか否かを検出し、その検出結果に応じて、通常の動作を行う第１のモードと、動作待機状態となる第２のモードと、上記第２のモードと異なる状態で動作待機状態となる第３のモードの遷移時間に関する設定の切換え制御を行うことを特徴とする。
【発明の効果】
【００２５】
本発明によると、カメラの操作を制限するアクセサリーを取り付けた場合に、アクセサリーを取り外して操作せずに、消費電力制御を行うことができるカメラ及びカメラの消費電力制御方法を提供できる。
【発明を実施するための最良の形態】
【００２６】
以下、図面を参照して、本発明の実施形態を説明する。  
図１はカメラ１の正面を示す図である。このカメラ１は所謂コンパクトタイプのデジタルカメラであり、撮影レンズ３などを保護する第１の操作部であるバリア２がカメラ１の電源スイッチを兼ねているタイプである。図１に示す状態はバリア２を閉じた状態であり、このままで撮影できない。図２に示すように、バリア２をカメラ１の右手側にスライドさせると撮影レンズ３が露出すると共にカメラ１の電源が入り、カメラ１は撮影待機状態になる。カメラ１の上面には、レリーズスイッチ４があり、これを操作することで撮影が行われる。
【００２７】
図３はカメラ１の背面を示す図である。カメラ１の背面には、各種操作部材や表示部材などがある。光学ファインダー５は、撮影者がこれを通して被写体を観察し、撮影範囲や構図を決定する。ＴＦＴ液晶６は後述する撮像素子１５で得た画像を表示したり、カメラ１の各種状態を表示する。ズームスイッチ７は、これを操作することにより撮影レンズ３の焦点距離を変更する。メニュースイッチ１０は、これを操作することによりＴＦＴ液晶６にカメラ１状態設定のメニューを表示する。メニュー表示後、十字スイッチ８を操作することにより、メニュー項目や各項目の設定値を選択する。その後、ＯＫスイッチ９を操作することにより、各項目の設定値を決定すると共に、メニュー表示を消灯する。なお、レリーズスイッチ４、ズームスイッチ７、十字スイッチ８及びメニュースイッチ１０は第２の操作部を構成する。
【００２８】
図４はカメラ１の構成を示す図である。被写体１１からの光は、撮影レンズ３、絞り１２、ズームレンズ１３、色分解フィルター１４を通って撮像素子１５上に結像する。被写体１１の像を画像取り出し手段１６が取り出し、画像処理手段１７が撮影画像の処理を行った後、画像記憶手段１８が記憶すると共に、画像表示手段１９が被写体１１画像を表示する。ファインダー対物レンズ２０と接眼レンズ２１を通った被写体１１からの光を撮影者２２が見て、撮影範囲やシャッターチャンスを決定する。被写体１１からの光は距離センサー２３に入り、測距手段２４が被写体１１までの距離を計測し、測距手段２４の出力に応じてレンズ駆動手段２５が撮影レンズ３を駆動することにより、被写体１１にピントを合わせる。また、被写体１１からの光は測光センサー２６に入り、測光手段２７が被写体１１の輝度を計測し、測光手段２７の出力に応じて、絞り駆動手段２８が絞り１２を駆動し、撮像素子感度設定手段２９が撮像素子１５の感度を変更する。ストロボ充電手段３０は図示しないストロボ発光用コンデンサに電荷を溜める。撮影するタイミングにおいて上記ストロボ発光用コンデンサに溜まっている電荷をキセノン管３１に流すことによりストロボ発光手段３２は発光する。レンズシャッター３３は通常開いていて、被写体１１の像を画像表示手段１９に逐次表示して、画像表示手段１９がファインダーの役目をも果たせるようになっている。撮影者２２がレリーズスイッチ４を操作して撮影が開始されると、絞り駆動手段２８が絞り値選択手段３４の選択に基づいて絞り１２を駆動し、シャッター駆動手段３５がレンズシャッター３３を閉じてから上述の通りに被写体１１の像を取り出し、記憶、表示する。撮影時にレンズシャッター３３を閉じるのは、画像を取り出している最中に被写体１１が動いたりカメラ１が動いたりして撮像素子１５上の被写体１１像が変ってしまうのを防ぐためである。カメラ制御手段３６はカメラ１全体の制御を司り、表示手段３７はカメラ１の各種情報を表示する。ズームスイッチ７はズームアップスイッチ７ａとズームダウンスイッチ７ｂとからなる。撮影者２２がズームスイッチ７を操作すると、ズームスイッチ７の出力に応じてズーム駆動手段３８がズームレンズ１３を駆動し、撮影レンズ３の焦点距離を変更する。
【００２９】
モード設定手段３９は、カメラ１の撮影に関する各種モードを設定する。消費電力制御手段４０はカメラ１の各部分の機能をオンオフするなどして、カメラ１の消費電力の大小を制御する（動作モード設定手段）。
【００３０】
また、カメラ１が持つ状態は、次の４つがある。撮影やモード変更などの動作を行う動作状態、動作状態における動作が終わり次の動作やカメラ１操作を待っている待機状態（動作状態及び待機状態：第１のモード）、消費電力制御手段４０がカメラ１の一部の消費電力を低下させるスリープ状態（第２のモード）、消費電力制御手段４０がカメラ１のほとんどの消費電力を低下させ、バリア２の操作でのみ他の状態へ遷移できるパワーオフ状態（第３のモード）である。状態遷移制御手段４１は、詳細は後述する水中プロテクター有無判断手段４３が水中プロテクター４４を装着しているか否かに応じて、待機状態からスリープ状態に遷移するまでの第１の時間の設定（第１の時間設定手段）、スリープ状態からパワーオフ状態に遷移するまでの第２の時間の設定（第２の時間設定手段）を含むカメラ１の各状態遷移を制御する（制御手段）。
【００３１】
計時手段４２は状態遷移制御手段４１が各状態へ遷移するまでの時間、例えば第１の時間及び第２の時間を計時する。水中プロテクター有無判断手段４３（状態検出手段）は後述する水中プロテクター４４の装着未装着の状態を示す信号を出力する。具体的には、例えば水中プロテクター有無判断手段４３がスライドスイッチ４５を持ち、図５（ａ）に示すように、撮影者が「通常」側へスライドスイッチ４５を操作すると水中プロテクター有無判断手段４３が「水中プロテクター無し」を示す信号を出力し、図５（ｂ）に示すように「水中」側へスライドスイッチ４５を操作すると水中プロテクター有無判断手段４３が「水中プロテクター有り」を示す信号を出力する。或は水中プロテクター有無判断手段４３が図６に示すように、プッシュスイッチ４６を持ち、図６（ａ）に示すように、プッシュスイッチ４６が押されずにオフ状態となっていると水中プロテクター有無判断手段４３が「水中プロテクター無し」を示す信号を出力し、図６（ｂ）に示すように、プッシュスイッチ４６が水中プロテクター４４により押されてオン状態となっていると水中プロテクター有無判断手段４３が「水中プロテクター有り」を示す信号を出力する構成としても良い。
【００３２】
図７は水中プロテクター４４の正面を示す図である。図７は水中プロテクター４４の前カバー４７と後カバー４８を閉じて、バックル４９を閉鎖した状態を示している。バックル４９を解除すると前カバー４７と後カバー４８が開き、カメラ１を水中プロテクター４４内に入れることができる。そして、前カバー４７と後カバー４８を閉じてバックル４９を閉鎖する。これにより、カメラ１に水中プロテクター４４を装着させ、水中撮影が可能となる。水中プロテクター４４にはカメラ１のバリア２を操作する部材が設置されていないので、カメラ１を水中プロテクター４４に入れる前にバリア２を開いて撮影待機状態にしておく必要がある。レリーズレバー５０は、これを操作することにより、カメラ１のレリーズスイッチ４を操作できる。なお、空気と水の屈折率の違いにより、水中撮影では撮影範囲が通常よりも広くなるので、カメラ１のフラッシュの前に位置しているフラッシュ拡散板５１により、フラッシュ光をより広い範囲に届ける必要がある。前カバー４７や後カバー４８は透明な素材でできているが、光学的に高い性能を持つものではないので、撮影レンズ３の前に設置するのは適切ではない。したがって、高い光学性能を持った素材でできたレンズ窓５２を撮影レンズ３の前に設置している。レンズキャップ５３はレンズ窓５２を覆って保護するものである。ハンドストラップ５４はその輪に手を通してカメラ１を携行するものである。
【００３３】
図８は水中プロテクター４４の背面を示す図である。液晶窓５５はカメラ１のＴＦＴ液晶６の前に設置してあり、これを通してＴＦＴ液晶６を見る。ズームボタン５６はこれを操作することによりズームスイッチ７を操作できる。十字ボタン５７はこれを操作することにより十字スイッチ８を操作できる。ＯＫボタン５８はこれを操作することによりＯＫスイッチ９を操作できる。メニューボタン５９はこれを操作することによりメニュースイッチ１０を操作できる。
【００３４】
図９は、カメラ１の水中プロテクター４４の未装着時の電力消費状態遷移を示す図である。この図９において、縦軸は電力消費量を示し、軸の上が電力消費量大であり軸の下が電量消費量小である。また、横軸は時間を示し軸方向に時間が経過する。なお、撮影者がカメラ１の操作を完了した時点が「時間０」である。
【００３５】
撮影者の操作直後はカメラ１が待機状態にあり、撮影者の操作に即座に反応できる状態である。このときのカメラ１の電力消費量は最も大きいＰ１である。なお、この実施の形態において、通常の動作とは、時間０から時間Ｔ１までの範囲の動作である。この待機状態において撮影者が何も操作しないまま時間Ｔ１（第１の時間）が経過するとカメラ１はスリープ状態へ遷移する。このスリープ状態においては、撮影者の操作によりカメラ１がスリープ状態から動作機状態へ遷移してから、撮影者の操作に対応した動作を行う。このスリープ状態の電力消費量はＰ１より小さいＰ２である。更に撮影者が何も操作しないまま時間Ｔ２（第２の時間）が経過するとカメラ１はパワーオフ状態へ遷移する。このパワーオフ状態においては、カメラ１は撮影者の操作には反応せず、唯一バリア２の操作にのみ反応する。つまり、この状態でバリア２を閉じると、カメラ１はパワーオフ状態から動作状態へ遷移し、バリア２閉に応じた処理を行った後、再びパワーオフ状態へ遷移する。従って、パワーオフ状態へ遷移すると、バリア２を一度閉じてから再び開かない限り、撮影などのカメラ１の操作はできなくなる。このパワーオフ状態の電力消費量は最も小さいＰ３である。
【００３６】
図１０は水中プロテクター４４の装着時のカメラ１の電力消費状態遷移を示す図である。縦軸、横軸の設定は図９で説明した電力消費状態遷移の場合と同じである。  
撮影者の操作直後カメラ１は待機状態にあり、撮影者の操作に即座に反応できる状態である。このときのカメラ１の電力消費量は最も大きいＰ１である。この待機状態において撮影者が何も操作しないまま時間Ｔ３（第１の時間）が経過するとカメラ１はスリープ状態へ遷移する。このスリープ状態においては、撮影者の操作によりカメラ１がスリープ状態から動作状態へ遷移してから、撮影者の操作に対応した動作を行う。このスリープ状態の電力消費量はＰ１より低いＰ２である。更に、撮影者が何も操作しないまま時間Ｔ４（第２の時間）が経過するとカメラ１はパワーオフ状態へ遷移する。このパワーオフ状態においては、撮影者の操作には反応せず、唯一バリア２の操作にのみ反応する。つまり、この状態でバリア２を閉じると、カメラ１はパワーオフ状態から動作状態へ遷移し、バリア２閉に応じた処理を行った後、再びパワーオフ状態へ遷移する。従って、パワーオフ状態へ遷移すると、バリア２を一度閉じてから再び開かない限り、撮影などのカメラ１操作はできなくなる。このパワーオフ状態の電力消費量は最も小さいＰ３である。
【００３７】
ところが、水中プロテクター４４の装着時にはバリア２の操作ができなくなるため消費電力を小さくし、電池が直ぐになくなってしまうことを防止する必要がある。そこで、図１０に示すように、スリープ状態へ遷移する時間Ｔ３を水中プロテクター４４の未装着時の場合の時間Ｔ１よりも短い時間にしている。更に、例えば、潜水中の撮影時に水中プロテクターを装着してから時間Ｔ４が経過すると、パワーオフ状態となってしまい、そのままでは、撮影を続けることができない。つまり、潜水を中断してカメラ１を水中プロテクターから取り出し、カメラ１のバリア２の開閉を行うこと必要となってしまう。これを避けるために、時間Ｔ４は十分に長い時間、例えば、一回の潜水時間よりも長い時間に設定する。
【００３８】
続いて本発明に関わる部分のカメラ１の動作を図１１のフローチャートを参照して説明する。カメラ１に電池を投入すると（Ｓ１００）、先ずカメラ１の初期化を行う（Ｓ１０１）。次に、バリア２が開いているか閉じているかを判断し（Ｓ１０２）、閉じていれば開かれるまで待つ。バリア２が開いていると判断すれば、バリア２が開かれた時に行うべき処理を行う（Ｓ１０３）。このときカメラ１の状態は「動作状態」に遷移していて、この処理を終了すると、「待機状態」へ遷移する（Ｓ１０４）。次に、カメラ１の各操作部材が操作されていない時間の計時を開始する（Ｓ１０５）。そして、カメラ１の各操作部材が操作されたかどうかを調べ（Ｓ１０６）、スイッチ入力による操作有りか否かを判断する（Ｓ１０７）。操作されていれば、計時を停止すると共にこれまで計時した時間をクリアする（Ｓ１０８）。次に、カメラ１の状態を判断し（Ｓ１０９）、「スリープ状態」ならば「動作状態」へ遷移する（Ｓ１１０）。そして、カメラ１操作がバリア２を閉じる操作であるかどうかを判断し（Ｓ１１１）、そうであるならばバリア２を閉じる時に行うべき処理を行い（Ｓ１１２）、バリア２状態判断であるステップＳ１０２へ戻る。バリア２を閉じる操作でなければ、カメラ１の操作に応じた処理を行う（Ｓ１１３）。次に、再度、カメラ１の各操作部材が操作されていない時間の計時を開始し（Ｓ１１４）、操作されたかどうかを調べるステップＳ１０６へ戻る。ステップＳ１０７において操作されていないと判断されれば、カメラ１の状態を判断する（Ｓ１１５）。「待機状態」ならば、水中プロテクター４４の装着の有無を判断する（Ｓ１１６）。水中プロテクターが装着されて無ければ、操作されていない時間が時間Ｔ１を経過したかどうかを判断する（Ｓ１１７）。経過していれば、カメラ１状態を「スリープ状態」へ遷移した（Ｓ１１８）後、経過していなければそのまま、操作されたかどうかを調べるステップＳ１０６の処理のところまで戻る。水中プロテクター４４が装着で有れば、操作されていない時間が時間Ｔ３を経過したかどうかを判断する（Ｓ１１９）。経過していれば、カメラ１状態を「スリープ状態」へ遷移した（Ｓ１１８）後、経過していなければそのまま、操作されたかどうかを調べるステップＳ１０６の処理のところまで戻る。カメラ１の状態判断（Ｓ１１５）で「スリープ状態」ならば、続いて、水中プロテクター４４の装着の有無を判断する（Ｓ１２０）。水中プロテクター４４が装着で有れば、操作されていない時間が時間Ｔ４が経過したかどうかを判断する（Ｓ１２３）。経過していれば、カメラ１状態を「パワーオフ状態」へ遷移した（Ｓ１２２）後、バリア２の開閉を検出するステップＳ１０２の処理のところまで戻り、経過していなければ、操作されたかどうかを調べるステップＳ１０６の処理のところまで戻る。水中プロテクター４４が装着で無ければ、操作されていない時間が時間Ｔ２を経過したかどうかを判断する（Ｓ１２１）。経過していれば、カメラ１の状態を「パワーオフ状態」へ遷移した（Ｓ１２２）後、バリア２開閉を検出するステップＳ１０２へ戻り、経過していなければそのまま、操作されたかどうかを調べるステップＳ１０６の処理のところまで戻る。
【００３９】
以上述べたようにカメラ１は、水中プロテクター４４の装着時は、スリープ状態へは水中プロテクター４４の未装着時よりも早く遷移し、パワーオフ状態へは十分に長い時間経過後に遷移するので、水中プロテクター４４の装着時に、パワーオフ状態へ遷移してしまった為撮影できなくなるという問題を解決すると共に、撮影時に電池が直ぐになくなってしまうという問題も解決できる。
【００４０】
なお、上述した実施の形態は本発明を水中プロテクター４４をカメラ１に装着する場合で説明したが、これに限るものではなく、操作を制限するようなアクセサリー、例えば消音ボックスをカメラ１に装着する場合であっても勿論良い。また、本発明は、カメラ１だけではなく、ビデオカメラ、カメラ機能を有する携帯電話機やＰＤＡ（パーソナル・デジタル・アシスタント）などにも適用できるものである。
【００４１】
次に、上述の実施の形態の変形例について述べる。カメラ１の使用態様、例えば、操作を制限するアクセサリーの種類や使用場所によっては、時間Ｔ４が一意に決められない場合もあり得る。この場合は時間Ｔ４を非常に長い時間に設定し、パワーオフ状態へ実質的に遷移しないようにしても良い。つまり、カメラ１は水中プロテクター４４や消音ボックス等の操作を制限するアクセサリーの装着時には、図１２に示す通り、所定時間Ｔ３が経過してスリープ状態へ遷移した後、パワーオフ状態へ遷移することなく、スリープ状態を維持するように制御する。
【００４２】
なお、本発明は、上述した実施の形態そのままに限定されるものではなく、実施段階ではその要旨を逸脱しない範囲で構成要素を変形して具体化できるものである。
【図面の簡単な説明】
【００４３】
【図１】本発明の実施の形態におけるカメラの正面を示す図。
【図２】同実施の形態におけるカメラの待機状態を示す図。
【図３】同実施の形態におけるカメラの背面を示す図。
【図４】同実施の形態におけるカメラの構成を概略的に示す図。
【図５】同実施の形態における水中プロテクター有無判断手段の一例を示す図。
【図６】同実施の形態における水中プロテクター有無判断手段の他の一例を示す図。
【図７】同実施の形態における水中プロテクターの正面を示す図。
【図８】同実施の形態における水中プロテクターの背面を示す図。
【図９】同実施の形態における水中プロテクター未装着時のカメラの電力消費状態遷移を示す図。
【図１０】同実施の形態における水中プロテクター装着時のカメラの電力消費状態遷移を示す図。
【図１１】同実施の形態における発明に関わる部分の動作の流れを示すフローチャート。
【図１２】同実施の形態の変形例における水中プロテクター装着時のカメラの電力消費状態遷移を示す図。
【符号の説明】
【００４４】
１…カメラ，２…バリア，４…レリーズスイッチ，７…ズームスイッチ，８…十字スイッチ，１０…メニュースイッチ，４０…消費電力制御手段，４１…状態遷移制御手段，４２…計時手段，４３…水中プロテクター有無判断手段，４４…水中プロテクター，４５…スライドスイッチ，４６…プッシュスイッチ，Ｔ１，Ｔ３…第１の時間，Ｔ２，Ｔ４…第２の時間
【図１】
2005338153.tif 000003
【図２】
2005338153.tif 000004
【図３】
2005338153.tif 000005
【図４】
2005338153.tif 000006
【図５】
2005338153.tif 000007
【図６】
2005338153.tif 000008
【図７】
2005338153.tif 000009
【図８】
2005338153.tif 000010
【図９】
2005338153.tif 000011
【図１０】
2005338153.tif 000012
【図１１】
2005338153.tif 000013
【図１２】
2005338153.tif 000014